(57)【要約】      （修正有）【課題】部品点数を抑えた簡素な構成としながらも天板への荷重に対する強度を有効に向上せしめた天板付家具を提供する。【解決手段】天板付家具は、脚体２と、この脚体２上の同じ高さ位置でそれぞれ交差する方向に延びる複数のフレーム３１及びこれら複数のフレーム３１が互いに当接又は近接する位置でフレーム３１を取り付けるフレーム取付部３７並びに複数のフレーム３１のうち何れか一のフレーム３１の中間部分を平面視通過させる通過許容部３９を有するフレーム支持体３２を有した脚体２に支持される支持構造体と、フレーム３１に支持される天板とを具備している。【選択図】図７
2014030629.tif 000002
【特許請求の範囲】
【請求項１】
脚体と、この脚体上の同じ高さ位置でそれぞれ交差する方向に延びる複数のフレーム及びこれら複数のフレームが互いに当接又は近接する位置で当該フレームを取り付けるフレーム取付部並びに前記複数のフレームのうち何れか一のフレームの中間部分を平面視通過させる通過許容部を有するフレーム支持体を有した前記脚体に支持される支持構造体と、前記フレームに支持される天板とを具備していることを特徴とする天板付家具。
【請求項２】
前記天板が概略長方形状をなすとともに前記フレームが前記天板の長手方向及び短寸方向に沿って互いに直交する方向に延びるものとし、
前記フレーム支持体が前記天板の長手方向に延びる長手フレームを前記通過許容部によって通過させて支持している請求項１記載の天板付家具。
【請求項３】
前記長手フレームが前記天板の長手方向の略全域に亘って伸びるものであり、
複数の前記フレーム支持体が前記長手フレームの両端近傍及び中間部分を支持するとともに前記脚体に支持されている請求項２記載の天板付家具。
【請求項４】
前記フレームが対をなす立壁、底壁及び天壁を有した断面視略角パイプ状をなし、前記フレームが前記底壁及び天壁を上下から挟持されて前記フレーム支持体に取り付けられるとともに、前記フレーム支持体が前記対をなす立壁に両側からそれぞれ接し得る側当接面を有している請求項１、２又は３記載の天板付家具。
【請求項５】
前記フレーム支持体が、前記脚体の平面視の取付位置を変更可能に取り付け得る脚取付部を有している請求項１、２、３又は４記載の天板付家具。
【請求項６】
前記脚体が前記フレーム支持体を支持する脚支柱と、この脚支柱の下側に取り付けられこの脚支柱から平面視何れかの方向に延出する脚羽根とを有するものであり、
前記脚取付部が、前記脚羽根の延出方向を異ならせるべく当該脚支柱を平面視の取り付け角度を変更可能としている請求項５記載の天板付家具。
【発明の詳細な説明】
【技術分野】
【０００１】
本発明は、オフィス等において好適に使用される天板付家具に関するものである。
【背景技術】
【０００２】
従来、会議室やフリーアドレスタイプのオフィス等で好適に用いられている天板付家具の一例として、複数の使用者が同時に使用できる単一の天板に対し、少なくとも長手方向両端、場合によっては長手方向両端及び中間部分に位置付けられた脚体が支持構造体を介して支持している態様をなす天板付家具が提案されている(例えば、特許文献１参照)。斯かる態様の天板付家具では、支持構造体が天板を補強しつつ天板に掛かる荷重を脚体に伝えるために、天板の長手方向全域に亘るフレームを横架させた構造をなし、このフレームが天板を長手方向に隈無く支持しているため、天板における脚体から離間した箇所においても荷重を好適に脚体に伝えることができ、しかも天板自体が撓んでしまうことが好適に回避されている。また当該特許文献に記載の天板付家具では、角パイプ状のフレームの端部を例えば脚体に支持されてなるフレーム支持体に剛結すべく当該フレーム支持体の端部にフレーム端部内に挿入させるための部材を突設するとともにボルト挿通項を有した部品を別途フレーム端部に取り付けるという加工を施すことで、剛結に必要なボルトやナットの数を最小限に抑えながら強固な剛結を可能としている。
【０００３】
しかしながら、上記特許文献１に記載のものは上記フレームの剛結のために当該フレームの端部には常に溶接等の格別な加工が要求されるものとなっている。また、フレームは常にフレーム支持体に端部を突き当てた状態で配置されるため、天板の中間部分に脚体を設ける場合には天板の長手方向の寸法に対応するフレームを用いることができず、複数のフレームを上記のように剛結して連結しなければならない、そうなると連結するフレームの数及び剛結に必要な部品等の数だけ、部品点数が増加するものとなっていた。
【先行技術文献】
【特許文献】
【０００４】
【特許文献１】特開２００５−１４７２３９号公報
【発明の概要】
【発明が解決しようとする課題】
【０００５】
本発明は、このような不具合に着目したものであり、部品点数を抑えた簡素な構成としながらも天板への荷重に対する強度を有効に向上せしめた天板付家具を提供することを目的としている。
【課題を解決するための手段】
【０００６】
本発明は、このような目的を達成するために、次のような手段を講じたものである。
【０００７】
すなわち本発明に係る天板付家具は、脚体と、この脚体上の同じ高さ位置でそれぞれ交差する方向に延びる複数のフレーム及びこれら複数のフレームが互いに当接又は近接する位置で当該フレームを取り付けるフレーム取付部並びに前記複数のフレームのうち何れか一のフレームの中間部分を平面視通過させる通過許容部を有するフレーム支持体を有した前記脚体に支持される支持構造体と、前記フレームに支持される天板とを具備していることを特徴とする。
【０００８】
このようなものであれば、通過許容部を設けることにより、フレーム支持体がフレームの端部間に介在せずにフレームの中間部分を支持することができるので、脚体の数に拘わらずフレームの数を設定することができる。つまり、フレームの数を抑えることでフレーム自体及びフレームを取り付けるための部品の点数を有効に抑えた天板付家具を提供することができる。またフレームの数を抑えることでフレームの取り付け箇所を削減することにより、より強固な天板支持体を構成することができる。つまり本発明によれば、部品点数を抑えた簡素な構成としながらも天板への荷重に対する強度を有効に向上せしめた天板付家具を提供することができる。
【０００９】
また概略長方形状をなす天板を好適に支持し得るものとするためには、前記フレームを前記天板の長手方向及び短寸方向に沿って互いに直交する方向に延びるものとし、前記フレーム支持体が前記天板の長手方向に延びる長手フレームを前記通過許容部によって通過させて支持している態様とすることが望ましい。
【００１０】
さらに天板の支持強度の高い構造とするためには、前記長手フレームを前記天板の長手方向の略全域に亘って伸びるものとし、複数の前記フレーム支持体を前記長手フレームの両端近傍及び中間部分を支持しつつ前記脚体に支持されるものとしていることが望ましい。
【００１１】
フレームに対し格別な部材を取り付けるといった加工をすることなく強固にフレームを支持するためには、前記フレームが対をなす立壁、底壁及び天壁を有した断面視略角パイプ状をなし前記底壁及び天壁を上下から挟持されながら前記フレーム支持体に取り付けられるとともに、前記フレーム支持体が前記対をなす立壁に両側からそれぞれ接し得る側当接面を有する構成とすることが望ましい。
【００１２】
また、フレーム支持体が天板の何れの位置に配されていても脚体に天板からの荷重を好適に伝えるようにするためには、フレーム支持体を、前記脚体の平面視の取付位置を変更可能に取り付け得る脚取付部を有したものとすることが望ましい。
【００１３】
フレーム支持体が脚体に好適に荷重を伝えるための態様の一つとして、前記脚体を前記フレーム支持体を支持する脚支柱と、この脚支柱の下側に取り付けられこの脚支柱から平面視何れかの方向に延出する脚羽根とを有するものとし、前記脚取付部を、前記脚羽根の延出方向を異ならせるべく当該脚支柱を平面視の取り付け角度を変更可能としているものを挙げることができる。
【発明の効果】
【００１４】
本発明によれば、部品点数を抑えた簡素な構成としながらも天板への荷重に対する強度を有効に向上せしめた天板付家具を提供することができる。
【図面の簡単な説明】
【００１５】
【図１】本発明の一実施形態に係る正面図。
【図２】同平面図。
【図３】同底面図。
【図４】同左側面図。
【図５】同斜視図。
【図６】同要部の分解斜視図。
【図７】同要部の拡大分解斜視図。
【図８】同他の要部の拡大分解斜視図。
【図９】同他の要部の拡大分解斜視図。
【図１０】同実施形態に係る作用説明図。
【図１１】同他の作用説明図。
【発明を実施するための形態】
【００１６】
以下、本発明の一実施の形態について図面を参照して説明する。
【００１７】
本実施形態に係る天板付家具１は、図１乃至図１１に示すように、オフィスや会議室等にて好適に使用され得るものであり、脚体２と、脚体２の上に取り付けられた支持構造体３と、この支持構造体３に支持されてなる天板４とを有するものであり、複数の使用者が天板４の一方の使用端４ａ側及び他方の使用端４ｂ側からそれぞれ並んで同時に執務や会議等を行い得るものである。そして天板４の一方の使用端４ａ及び他方の使用端４ｂの間、すなわち短寸方向略中央には天板４に開口４４が設けられるとともに配線ダクト５を取り付けてなる。
【００１８】
しかして本実施形態に係る天板付家具１は、脚体２と、この脚体２上の同じ高さ位置でそれぞれ交差する方向に延びる複数のフレーム３１及びこれら複数のフレーム３１が互いに当接又は近接する位置で当該フレーム３１を取り付けるフレーム取付部３７並びに前記複数のフレーム３１のうち何れか一のフレーム３１の中間部分を平面視通過させる通過許容部３９を有するフレーム支持体３２を有した前記脚体２に支持される支持構造体３と、前記フレーム３１に支持される天板４とを具備しているものである。
【００１９】
以下、天板付家具１の各部の構成について説明する。
【００２０】
脚体２は、図１乃至６、図１０及び図１１に示すように、床面上を平面視天板４の縁へ向かって延出する脚羽根２１と、この脚羽根２１の上端から立設して支持構造体３に取り付けられる脚支柱２２と、天板４の短寸方向に隣接する脚支柱２２の下端同士を連結する脚ビーム２３とを有している。この脚体２は、支持構造体３に対し取り付け角度を異ならせて取り付けることにより、天板４の両側端４ｃ近傍に位置付けられる端部脚２ａと、天板４の長手方向中央に位置付けられる中間脚２ｂとを、それぞれ同形状をなす脚羽根２１、脚支柱２２及び脚ビーム２３によって構成してなる。
【００２１】
脚羽根２１は、同図に示すように、例えばアルミダイキャストからなる脚羽根本体２１ａと、ボルト２５によって脚支柱２２に取り付けられるために２箇所に設けられたボルト挿通孔２１ｂと、脚ビーム２３を脚支柱２２との間に挟持させるための凹み部２１ｃと、脚羽根本体２１ａの先端に取り付けられたアジャスタ２１ｄとを有してなる。凹み部２１ｃは脚ビーム２３の両端形状に応じて成形された湾曲凹面２１ｅを有している。これにより脚羽根２１と脚ビーム２３とは支持構造体３に取り付けられる前の状態では一定の範囲で回転可能となっており、脚羽根２１と脚ビーム２３との相対角度は、脚支柱２２が固定される角度により決定される。そして脚羽根本体２１ａの基端部において脚支柱２２の内側形状に対応する平面視形状を突出させることにより挿入端２１ｆを設けるとともに、この挿入端２１ｆの周縁を脚支柱２２に当接し得る当接端２１ｇとしている。これにより挿入端２１ｆが脚支柱２２に下側から嵌り込み当接端２１ｇが脚支柱２２の下端に当接することで、脚羽根２１と脚支柱２２との正確な位置決め並びに強固な取付を実現している。
【００２２】
脚支柱２２は、同図に示すように、平面視で扁平な形状をなすパイプ状の支柱本体２２ａと、支柱本体２２ａの下側に溶接された板材２２ｄの両端に対をなして形成された下端側雌ねじ穴２２ｂと、上端の平面視中央に形成されたボルト２４に螺合する上端側雌ねじ穴２２ｃとを有している。また脚支柱２２は下端２２ｅよりも若干上側に下端側雌ねじ穴２２ｂを設けている板材２２ｄを位置付けることで内側には前記挿入端２１ｆに嵌合し得る嵌合部２２ｆを形成している。
【００２３】
脚ビーム２３は、同図に示すように、平面方向に延出する丸みを帯びたパイプ状をなすビーム本体２３ａと、このビーム本体２３ａの両端を若干寸法上方に膨出させながら円筒状に形成された回動端部２３ｂと、この回動端部２３ｂの平面視略中央において上下に貫通させてボルト２５を挿通させ得るボルト挿通孔２３ｃとを有している。
【００２４】
支持構造体３は、図１乃至図９に示すように、この脚体２上の同じ高さ位置でそれぞれ交差するように延びるフレーム３１と、フレーム３１が互いに当接又は近接する位置で当該フレーム３１を取り付けているフレーム支持体３２と、フレーム支持体３２の上側に取り付けられる取付板３３と、フレーム３１と天板４との間に介在するスペーサ３４と、天板４の側端４ｃ、使用端に近接するフレーム３１の端面３１ｄに取り付けられるキャップ３５とを有している。
【００２５】
フレーム３１は、図１乃至図４、図６乃至図９に示すように、例えばアルミの押し出し成形によって天壁３１ｅ、底壁３１ｆ及び立壁３１ｇを有するパイプ状をなすもので、前記天壁３１ｅ及び底壁３１ｆにそれぞれ断面視テーパ形状をなす上側凹部３１ｊ及び下側凹部３１ｋを上下対称に形成することで断面視概略Ｈ形状をなす。そしてこのフレーム３１は、一又は長手方向の複数箇所において上側凹部３１ｊ及び下側凹部３１ｋを貫通するよう設けられたボルト挿通孔３１ｈと、下側凹部３１ｋのみに穿たれフレーム支持体３２に位置決めされるための被取付穴３１ｉとを有している。
【００２６】
このフレーム３１は、それぞれ長さ寸法を異ならせることにより、前記天板４の長手方向略全域に亘って２本平行に伸びる長手フレームたるメインフレーム３１ａと、前記天板４の短寸方向に沿って前記メインフレーム３１ａに直交する方向に延び対をなすメインフレーム３１ａ間に介在する中間フレーム３１ｂと、メインフレーム３１ａから天板４の使用端へ向かって延びる端フレーム３１ｃとを構成している。メインフレーム３１ａは両端面３１ｄにそれぞれキャップ３５が取り付けられるとともに、長手方向中央及び両端近傍には対をなした被取付穴３１ｉがそれぞれ形成されている。また、長手方向中央と長手方向端部との略中間位置、そして端面３１ｄよりも若干寸法内側の箇所にはボルト挿通孔３１ｈがそれぞれ形成されている。中間フレーム３１ｂは両端近傍にはそれぞれ被取付穴３１ｉが形成されている。端フレーム３１ｃは一端側に被取付穴３１ｉが形成されるとともに他端側の端面３１ｄにはキャップ３５が取り付けられ、その近傍にはボルト挿通孔３１ｈが形成されている。
【００２７】
フレーム支持体３２は、図１乃至図４、図６、図７及び図９に示すように、例えばアルミダイキャスト製のもので上面側が平面視十字形状に抉られた概略円柱形状をなすものである。このフレーム支持体３２は、下側に位置付けられ脚体２を取り付けるための脚取付部３６と、天板４の長手方向及び短寸方向に延びるフレーム３１を下側から包むように取り付け得る四つのフレーム取付部３７と、この四つのフレーム取付部３７に囲まれる位置に設けた空間である通過許容部３９と、取付板３３を介して天板４を載せ置き固定するための天板取付部３８とを有している。
【００２８】
脚取付部３６は特に図９に示すように、底面視概略Ｘ形状に凹ませた溝の中心に開口を設けた構成をなすもので、前記溝のうち天板４の側端４ｃに沿って延びる溝を中間脚取付溝３６ｃとし、この中間脚取付溝３６ｃから４５°の角度をなして延びる溝を端部脚取付溝３６ａとしている。さらに脚取付部３６は、平面視中央又は略中央において上下に貫通させて穿たれた端部脚取付孔３６ｂ及び中間脚取付孔３６ｄの何れかを有している。図９では端部脚取付孔３６ｂを実線で図示し、この端部脚２ａから若干寸法使用端４ａ（４ｂ）よりに形成される中間脚取付孔３６ｄを想像線で示している。なお本実施形態では図９において両取付孔３６ｂ、３６ｄの何れかを穿つ態様としたが勿論、これら両方の位置での取付が可能なように平面視瓢箪形状や長円状の取付孔を穿ってもよいことはいうまでもない。
【００２９】
フレーム取付部３７はフレーム支持体３２の上面側を平面視十字形にフレーム３１の高さ寸法と同寸法か或いは若干浅い寸法だけ抉ることにより通過許容部３９とともに設けたものである。すなわち当該十字形の交差部分を通過許容部３９としてフレーム３１の通過を許容している。そしてこのフレーム取付部３７は前記通過許容部３９から前後左右四方に離間した位置において、フレーム３１の下側凹部３１ｋに嵌合し得る断面視台形状に突出する嵌合突起３７ａと、この嵌合突起３７ａから上方に円柱形状に一体的にアルミ素材を突出させてフレーム３１の被取付穴３１ｉに挿入し得る固定突起３７ｂと、フレーム３１の左右の立壁３１ｇに略隙間無く当接し得る側当接面３７ｃとを有している。
【００３０】
そして通過許容部３９は、フレーム取付部３７間に介在する部分であり、フレーム取付部３７に取り付けられる一のフレーム３７のみを通過させ得るものである。本実施形態では全ての通過許容部３９が天板４の長手方向に延出するメインフレーム３１ａを通過させるようにしているが勿論、短寸方向に延出するフレーム３１を通過させるものであっても良い。
【００３１】
天板取付部３８は、フレーム支持体３２の上端四箇所において取付板３３に接する板取付面３８ａとこの板取付面３８ａの中央に設けられた雌ねじ穴である板取付穴３８ｂとを有している。
【００３２】
取付板３３は、図２乃至図４、図６及び図７に示すように、フレーム支持体３２に対し上側から取り付けることでフレーム３１をフレーム支持体３２とともに上下から挟持するとともにフレーム支持体３２を天板４に固定するためのものである。この取付板３３は平面視概略正方形状をなす板本体３３ａと、挟持ボルト３３ｄを上方から挿入させてフレーム支持体３２に取り付けるための第一ボルト孔３３ｂと、下方から取付ボルト３３ｅを挿入させて天板４に取り付けるための第二ボルト孔３３ｃとを有している。第一ボルト孔３３ｂは縁部を傾斜させ概略すり鉢形状に構成することで、挟持ボルト３３ｄを取り付けた状態で挟持ボルト３３ｄの上面と取付板３３の上面とが略面一となり、挟持ボルト３３ｄが天板４に干渉することを回避している。
【００３３】
スペーサ３４は、図６乃至図８に示すように、例えば樹脂の一体成形からなるもので、フレーム３１のボルト挿通孔３１ｉを設けた位置でフレーム３１の上側凹部３１ｊに取り付けることでフレーム３１の天壁３１ｅと天板４との間に挟持させることで、天板４の荷重を隈無くフレーム３１に伝えるためのものである。このスペーサ３４は前記取付板３３と略同じ厚み寸法を有する平面視矩形状のスペーサ本体３４ａと、このスペーサ本体３４ａから下方に突出する筒状部３４ｂと、これらスペーサ本体３４ａ及び筒状部３４ｂを上下に貫通する孔であるボルト挿通孔３４ｃとを有している。さらに筒状部３４ｂは図７及び図８に示すように、一部がボルト挿通孔３１ｈに嵌合する嵌合端３４ｅと、この嵌合端３４ｅの若干上側でフレーム３１の上側凹部３１ｊに当接する段部３４ｆとを有している。
【００３４】
キャップ３５はメインフレーム３１ａの両端面３１ｄ及び端フレーム３１ｃの他方の端面３１ｄにそれぞれ嵌合させることで、外方からフレーム３１の端面３１ｄが露出することを回避するためのものである例えば樹脂の一体成形によってなるものである。
【００３５】
天板４は、図１乃至図５及び図８に示すように、一方の使用端４ａ側及び他方の使用端４ｂからそれぞれ使用者が向かい合って上面４ｄ上で執務が可能なまでの側端４ｃの寸法すなわち短寸寸法を有するとともに複数の使用者が長手方向に並んだ状態で執務を同時に行うに足る長手寸法を有した平面視略長方形状のもので、前記支持構造体３の上方に配されている。この天板４は、例えば、木製の芯材４１と、この芯材４１の上面に添設されたメラミン樹脂板等の化粧板４２と、この化粧板４２及び前記芯材４１の周縁を包囲するエッジ部材４３とを具備してなる。前記芯材４１の下面４１ａ側における前記フレーム３１のボルト挿通孔３１ｈ及び取付板３３の第二ボルト孔３３ｃに対応する部位には、インサートナット４１ｂが埋設されている。
【００３６】
この天板４は、前記支持構造体３の取付板３３及びスペーサ３４上に配置され、前記ボルト挿通孔３１ｈ及び第二ボルト孔３３ｃを通して前記インサートナット４１ｂに螺着される挿通ボルト３４ｄ及び取付ボルト３３ｅにより該支持構造体３上に固定されている。そしてこの天板４には、短寸方向における略中央位置であり且つ長手方向における端部脚２ａ及び中間脚２ｂの中間である二箇所において開口４４を形成し、この開口４４に配線ダクト５を取り付けている。
【００３７】
配線ダクト５は、図２、図３及ぶ図５に示すように、天板４の開口４４下方に配線類を好適に案内し得るものであり、天板４の上面４ｄに略面一となるよう取り付けられ一方の使用端４ａ側及び他方の使用端４ｂ側の両方から開くことができる蓋体５１と、開口４４の縁部に取り付けられ、適宜変形することにより蓋体５１が綴じられた状態で配線を開口４４を通じて案内し得る軟質部材５２と、前記蓋体５１を開閉可能に支持してなる蓋支持体５３とを具備してなる。またこの配線ダクト５は天板４下に導入された配線を好適に案内し得るダクト本体等をさらに取り付けてなるものであるが、本実施形態ではダクト本体等の図示並びに詳細な説明を所略する。
【００３８】
以上のような構成とすることにより本実施形態に係る天板付家具１は、フレーム支持体３２がフレーム取付部３７間にフレーム３１の中間部分を平面視通過させる通過許容部３９を設けている。その結果フレーム支持体３２が、前記天板４の長手方向の略全域に亘って伸びる長手フレームたるメインフレーム３１ａの端部ではなく中間部分を支持できるようにして、フレーム支持体３２の存在によりフレーム３１を分断することを回避してフレーム３１の連結箇所を削減し、部品点数の削減と強度の維持とを有効に両立させている。
【００３９】
また本実施形態では、前記フレーム３１を前記天板４の長手方向及び短寸方向に沿って互いに直交する方向に延びるものとし、前記フレーム支持体３２が前記天板４の長手方向に延びるメインフレーム３１ａを前記通過許容部３９によって通過させて支持しているので、長方形状の天板４に対して隈無く確実に支持し得るものとなっている。
【００４０】
さらに天板４の支持強度の高い構造とするために本実施形態では換言すれば、天板４の長手寸法に略等しい長さを有したメインフレーム３１ａを適用することで、フレーム３１の連結箇所を削減し、部品点数の削減と強度の維持とを有効に両立させている。またフレーム支持体３２が前記長手フレーム３１の中間部分を支持しつつ前記脚体２に支持されるものとし、天板４からの荷重を支持構造体３が好適に脚体２に伝わるものとしている。
【００４１】
特に本実施形態ではフレーム支持体３２が取付板３３とともにフレーム３１を前記底壁３１ｆ及び天壁３１ｅを上下から挟み込んで挟持ボルト３３ｄにより強固に固定しつつ上下から圧縮されている立壁３１ｇの両側方には側当接面３７ｃを形成することによって、フレーム３１の変形を抑えながらも強固な取り付けを実現している。これによりメインフレーム３１ａのみならず一端のみがフレーム支持体３２に支持されている端フレーム３１ｃも強固に固定され、他端にて天板４スペーサ３４を介して天板４からの荷重を好適に受け得るものとなっている。
【００４２】
特に本実施形態では、フレーム３１を上下からの挟み込みにより固定するので、フレーム３１に対して行った加工は下側凹部３１ｋに被取付穴３１ｉ及びボルト挿通孔３１ｈを設けるのみといった孔を穿つという簡素な加工のみで強固なフレーム３１の取り付けを実現している。
【００４３】
また本実施形態では、脚体２の平面視の取付位置を変更可能に取り付け得る脚取付部３６を有することにより、フレーム支持体３２が天板４の何れの位置に配されていても脚体２に天板４からの荷重を好適に伝え得るようにしている。加えて脚取付部３６により、端部脚２ａであっても中間脚２ｂであっても同形状のフレーム支持体３２を適用することで、６つある全てのフレーム支持体３２を端部脚取付孔３６ｂ及び中間脚取付孔３６ｄの位置以外は同形状のものとして、部品の共有率を有効に向上せしめている。
【００４４】
そして本実施形態ではフレーム支持体３２が脚体２により好適に荷重を伝えるため、脚取付部３６が当該脚支柱２２の平面視の取り付け角度を変更可能とし、前記脚羽根２１の延出方向を異ならせている。これにより上述した効果に加え、脚体２を構成する部品の共有率の向上にも資するものとなっている。
【００４５】
特に本実施形態では、前記脚体２を構成する脚支柱２２、脚羽根２１及び脚ビーム２３を、端部脚２ａ、中間脚２ｂ問わず同じ形状のものとしている。具体的に説明すると、前記脚体２は、平面視長方形状をなす前記天板４のうち互いに近接した隅部近傍にそれぞれ位置付けられた前記フレーム支持体３２の前記脚取付部３６に対し前記脚羽根２１が隅部へ向かって延びる方向に前記脚支柱２２が取り付けられることにより端部脚２ａを構成している。一方、前記天板４の長手方向中間部分且つ短寸方向の縁部近傍にそれぞれ位置付けられた前記フレーム支持体３２の前記脚取付部３６に対し前記脚羽根２１が脚ビーム２３とともに前記縁部に向かって直線状に延びる方向に前記脚支柱２２が取り付けられることにより中間脚２ｂを構成している。ここで、前記フレーム支持体３２の脚取付部３６において、端部脚取付孔３６ｂと中間脚取付孔３６ｄとの位置が互いに異なるのは、脚支柱２２の取り付け角度の違いによって発生する両脚支柱２２間の最短距離の違いを吸収するためである。換言すれば、脚支柱２２の取付角度が変わっても脚羽根２１における凹み部２１ｃ間の位置を同じとすることで端部脚２ａ及び中間脚２ｂで同寸法の脚ビーム２３を用いることを実現している。
【００４６】
以上、本発明の実施形態について説明したが、各部の具体的な構成は、上述した実施形態のみに限定されるものではなく、本発明の趣旨を逸脱しない範囲で種々変形が可能である。
【００４７】
例えば、上記実施形態では平面視長方形状の天板に対し、それぞれ直交する方向にフレームを配置した態様を開示したが、天板の形状は長方形状に限られない。例えば円形状の天板であっても良い。またフレームの配置も直交する方向に延びるものに限られず、フレーム支持体の形状によっては、例えば３方向や５以上の方向に放射状にフレームを取り付け得るものであっても良い。さらには、上記実施形態ではフレーム支持体が全て脚体に支持される態様を開示したが勿論、脚体に支持されていない箇所にフレーム支持体を設けても良い。これにより、フレーム支持体の位置で２本のフレームを長手方向に連結したり、隣接する例えば２枚の天板の上面を面一としながら連結したりすることで、フレームの配置や天板のサイズを設定する自由度を大きく向上させることができる。またフレームやフレーム支持体の具体的な形状、態様は上記実施形態のものに限定されることはなく、既存のものを含め、種々の態様のものを適用することができる。
【００４８】
その他、各部の具体的構成についても上記実施形態に限られるものではなく、本発明の趣旨を逸脱しない範囲で種々変形が可能である。
【産業上の利用可能性】
【００４９】
本発明はオフィス等において好適に使用される天板付家具として利用することができる。
【符号の説明】
【００５０】
１…天板付家具
２…脚体
２１…脚羽根
２２…脚支柱
３…支持構造体
３１…フレーム
３１ａ…長手フレーム（メインフレーム）
３１ｅ…天壁
３１ｆ…底壁
３１ｇ…立壁
３２…フレーム支持体
３６…脚取付部
３７ｃ…側当接面
３９…通過許容部
４…天板
【図１】
2014030629.tif 000003
【図２】
2014030629.tif 000004
【図３】
2014030629.tif 000005
【図４】
2014030629.tif 000006
【図５】
2014030629.tif 000007
【図６】
2014030629.tif 000008
【図７】
2014030629.tif 000009
【図８】
2014030629.tif 000010
【図９】
2014030629.tif 000011
【図１０】
2014030629.tif 000012
【図１１】
2014030629.tif 000013